(57)【要約】【課題】必要光量の異なるシステムに使用でき、また、無駄なエネルギーを消費しないようにでき、また、原稿読み取り時の光量変動による影響を押さえることができ、安定した画像データを得られる画像読取装置及び画像形成装置を提供する。【解決手段】露光ランプと、露光ランプで照射された光学的な原稿情報を電気信号に変換するＣＣＤと、露光ランプを点灯させるためのインバータ回路と、インバータ回路に入力する露光ランプ点灯信号、及び、露光ランプを点灯するためのパルスを制御する制御信号、ＣＣＤの１ライン読取中の露光ランプの点灯パルス休止期間を制御する制御回路と、を有し、制御回路からの１ライン中の点灯パルスの休止期間を変更することにより、露光ランプの光量を変更することで、ＣＣＤの出力を変更する画像読取装置であって、原稿読取時のＣＣＤ出力が一定になるように、１ライン中の休止期間を変更する。【選択図】図１
2008113357.tif 000002
【特許請求の範囲】
【請求項１】
露光ランプと、前記露光ランプで照射された光学的な原稿情報を電気信号に変換するＣＣＤと、前記露光ランプを点灯させるためのインバータ回路と、前記インバータ回路に入力する露光ランプ点灯信号、及び、前記露光ランプを点灯するためのパルスを制御する制御信号、前記ＣＣＤの１ライン読取中の前記露光ランプの点灯パルス休止期間を制御する制御回路と、を有し、前記制御回路からの１ライン中の点灯パルスの休止期間を変更することにより、前記露光ランプの光量を変更することで、前記ＣＣＤの出力を変更する画像読取装置であって、
原稿読取時の前記ＣＣＤ出力が一定になるように、前記１ライン中の休止期間を変更することを特徴とする画像読取装置。
【請求項２】
前記ＣＣＤの読取データは、白板のデータを使用することを特徴とする請求項１記載の画像読取装置。
【請求項３】
前記ＣＣＤの読取データは、ＡＤＦの背景板を使用することを特徴とする請求項１記載の画像読取装置。
【請求項４】
原稿読取時の前記ＣＣＤの読取データは、主走査方向の画像読取有効読取範囲以外に基準となる基準板を配置してある基準板のデータを基に、前記休止期間を変更制御することを特徴とする請求項１から３のいずれか１項に記載の画像読取装置。
【請求項５】
前記露光ランプ後の原稿読取前は、前記ＡＤＦの背景板を使用し、原稿読取時は主走査方向の画像読取有効読取範囲以外に配置した基準板を使用して、前記休止期間を制御することを特徴とする請求項１から４のいずれか１項に記載の画像読取装置。
【請求項６】
前記原稿読取動作は、前記ＣＣＤの出力が安定してから読取を開始することを特徴とする請求項１から５のいずれか１項に記載の画像読取装置。
【請求項７】
請求項１から６のいずれか１項に記載の画像読取装置を有することを特徴とする画像形成装置。
【発明の詳細な説明】
【技術分野】
【０００１】
本発明は、イメージスキャナの光学制御を行う画像読取装置及び画像形成装置に関する。
【背景技術】
【０００２】
従来の画像読取装置の照明装置は、装置システムの様々な読取速度、受光素子に対する必要光量に対し、装置毎に固有照度の光源をカスタマイズで制作していた為、読取モード（モノクロ／カラー）で異なる読取速度に対応できず、光電素子飽和を防ぐ為、速度の遅い（一般的にはカラー）に合わせた光学設計を行い、読取速度の早いシステムでは必要光量不足を生じて、Ｓ／Ｎの劣化が懸念された。また、必要光量の異なる装置システムで同じ光源を使用することができず、部品種類数の膨大が進み、管理が難しくなった。
【０００３】
また、別の方法として、同じランプを使う場合は、メカシェーディング板を使用し、光量をカットして使用していたが、光電素子に対し過度な光を遮断するので、無駄なエネルギーを消費していた。
【０００４】
また、ランプの温度特性により、低い光量で調整してあるランプを、高い光量で点灯させると、必要光量に対しオーバーシュートが大きくなり、またオーバーシュートが治まり光量が安定するまで時間が掛かるという不具合がある。これにより、ランプ温度が一定になるまで照度が安定せず、１スキャン、スキャン毎の濃度ムラとなり、読み取り画像として問題となることがあった。
【０００５】
従来技術例として、ライン周期とランプ点灯／消灯の周期を一定にする「画像読取装置」がある（例えば、特許文献１参照）。また、周波数変更による調光機能を備えた「外部電極式希ガス蛍光ランプの点灯装置」がある（例えば、特許文献２参照）。
【特許文献１】特開平７−７４８９０号公報
【特許文献２】特許第３５０３５４２号公報
【発明の開示】
【発明が解決しようとする課題】
【０００６】
本発明では、上記で説明した不具合を解決するためになされたものであり、１つのランプ／インバータで、必要光量の異なるシステムに使用でき、また、無駄なエネルギーを消費しないようにでき、また、原稿読み取り時の光量変動による影響を押さえることができ、安定した画像データを得られる画像読取装置及び画像形成装置を提供することを目的とする。
【課題を解決するための手段】
【０００７】
かかる目的を達成するために、請求項１記載の発明は、露光ランプと、露光ランプで照射された光学的な原稿情報を電気信号に変換するＣＣＤと、露光ランプを点灯させるためのインバータ回路と、インバータ回路に入力する露光ランプ点灯信号、及び、露光ランプを点灯するためのパルスを制御する制御信号、ＣＣＤの１ライン読取中の露光ランプの点灯パルス休止期間を制御する制御回路と、を有し、制御回路からの１ライン中の点灯パルスの休止期間を変更することにより、露光ランプの光量を変更することで、ＣＣＤの出力を変更する画像読取装置であって、原稿読取時のＣＣＤ出力が一定になるように、１ライン中の休止期間を変更することを特徴とする。
【０００８】
請求項２記載の発明は、請求項１記載の発明において、ＣＣＤの読取データは、白板のデータを使用することを特徴とする。
【０００９】
請求項３記載の発明は、請求項１記載の発明において、ＣＣＤの読取データは、ＡＤＦの背景板を使用することを特徴とする。
【００１０】
請求項４記載の発明は、請求項１から３のいずれか１項に記載の発明において、原稿読取時のＣＣＤの読取データは、主走査方向の画像読取有効読取範囲以外に基準となる基準板を配置してある基準板のデータを基に、休止期間を変更制御することを特徴とする。
【００１１】
請求項５記載の発明は、請求項１から４のいずれか１項に記載の発明において、露光ランプ後の原稿読取前は、ＡＤＦの背景板を使用し、原稿読取時は主走査方向の画像読取有効読取範囲以外に配置した基準板を使用して、休止期間を制御することを特徴とする。
【００１２】
請求項６記載の発明は、請求項１から５のいずれか１項に記載の発明において、原稿読取動作は、ＣＣＤの出力が安定してから読取を開始することを特徴とする。
【００１３】
請求項７記載の発明は、請求項１から６のいずれか１項に記載の画像読取装置を有することを特徴とする。
【発明の効果】
【００１４】
本発明によれば、１つのランプ／インバータで、必要光量の異なるシステムに使用でき、無駄なエネルギーを消費しないようにでき、原稿読み取り時の光量変動による影響を押さえることができ、安定した画像データを得ることが可能となる。
【発明を実施するための最良の形態】
【００１５】
以下、本発明を実施するための最良の形態について添付図面を参照して詳細に説明する。
【実施例】
【００１６】
本実施例では、１つのランプ／インバータで、必要光量の異なるシステムに使用でき、かつ、無駄なエネルギーを消費しないようにすることを目的とし、以下の〈１〉〜〈３〉の手段により、この目的を達成するようにした。
〈１〉インバータに入力するランプ点灯ＣＬＫの休止期間を、システム側より変更することで、光量を調整できるようにした。
〈２〉立ち上がり時にランプ点灯ＣＬＫの休止期間を長くすることで、オーバーシュートを無し、早く安定光量にするようにした。
〈３〉ＣＣＤ出力を見てランプ点灯ＣＬＫの休止期間を制御することで、必要なＣＣＤ出力レベルが早く安定するようにした。
【００１７】
図１は、本発明の実施例に係るカラー画像読取装置の全体構成図である。まず、スキャナ本体に関しての構成の説明を行う。
【００１８】
図１において、原稿台ガラス８上に置かれた原稿は、第１ミラー３と照明ランプ２により照射される。第１ミラー３と照明ランプ２は、第１キャリッジ３１に搭載されており、原稿台下部を移動しながら走査を行う。原稿からの反射光は、第１ミラー３及び第２キャリッジ３２上の第２ミラー５、第３ミラー４で走査され、レンズ１により集束され、ＣＣＤが搭載されたＳＢＵ１０に照射されることにより電気信号に光電変換される。
【００１９】
第１キャリッジ３１、第２キャリッジ３２は、走行体モータ９を駆動源として、キャリッジホーム位置から最大走査領域方向（図左右方向）に移動可能となっている。
【００２０】
次に、ＡＲＤＦ（自動両面原稿搬送装置）部に関しての構成の説明を行う。
【００２１】
図１において、原稿台１１の原稿ガイド１２に沿って積載された原稿は、片面原稿読み取りを選択した場合には、呼び出しコロ１４、給紙ベルト１６により搬送コロ１５、分離コロ１７、第１搬送ローラによりＤＦ用原稿ガラス６と反射ガイド板２０との間の読取位置を経て、第２搬送ローラ２１及び排紙ローラ２３へ送り込まれ、原稿が排出される。ＤＦ用原稿ガラス６の前にはレジストセンサ１９が配置されており、読取部への紙の進入（先端）や後端部のタイミングを検知できる。
【００２２】
一方、両面原稿読み取りを選択した場合には、まず原稿の表面の読み取りを上記、片面原稿読み取りを選択した場合と同様に実施する。原稿の表面の読み取りに関して説明を行う。呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて一旦、反転ローラが停止する。
【００２３】
次に、原稿の裏面の読み取りに関して説明を行う。原稿の裏面の読み取りを実施するためには、一旦、停止していた反転ローラ２５を上記とは逆方向へ回転させることにより原稿が反転テーブル２６から第１搬送ローラ１８の方向へ搬送され、更に第１搬送ローラ１８を経て、表面と同様に、ＤＦ用原稿ガラス６と反射ガイド板２０との間の読取位置を経て、第２搬送ローラ２１及び排紙ローラ２３へ送り込まれ、その後、原稿が排出される。
【００２４】
原稿は、表面、裏面の読み取り共にＤＦ用原稿ガラス６と反射ガイド板２０との間の読取位置を通過する際に、読取位置の近傍に停止されている照明ランプ２により照射され、その反射光は、第１ミラー３及び一体に構成された第２ミラー５、第３ミラー４で走査される。
【００２５】
以下、原稿台の場合と同様に光電変換される。ＡＲＤＦの呼び出しコロ１４、給紙ベルト１６、搬送コロ１５、分離コロ１７の給紙機構は給紙モータ（図示せず）により駆動されている。
【００２６】
また、第１搬送ローラ１８、第２搬送ローラ２１、排紙ローラ２３、反転ローラ２５の搬送機構は搬送モータ（図示せず）により駆動されている。
【００２７】
更に、ＡＲＤＦには原稿を検知するために原稿台１１へ原稿がセットされているか否かを検知するセットセンサ１３、原稿サイズを検知するための幅サイズ検知基板２８、第１の原稿長さセンサ２９、第２の原稿長さセンサ３０、原稿の後端を検知するための原稿後端センサ２７が搭載されている。スキャナ本体にはスキャナ本体及びＡＲＤＦを含めたカラー画像読取装置の動作制御を行うＳＣＵ７が搭載されている。
【００２８】
次に、図１６の説明を行う。
６はＤＦ用原稿ガラス（前述済み）、８は本やシートなどを置くコンタクトガラス（図１の原稿台ガラス８）、ＡＤＦ５３、原稿５４である。
【００２９】
基準の濃度板として、一般的にシェ−ディングなどで使用される基準白板５２、主走査方向の画像読取有効読取範囲以外にＣＣＤの読取濃度基準となる反射濃度一定の基準板５０、ＤＦの搬送ガイド機能と兼用である反射ガイド板２０があり、これらは基準板同様に濃度一定のガイド板である。５０は原稿サイズを測る長さスケール５１と兼用になっていることが多い。それぞれ、ランプの照射及びＣＣＤ受光領域に有り、この反射光をＣＣＤで受光し、光電変換されることで、ランプの光量変化が判断できる。
【００３０】
それぞれ、主な用途としては、基準白板５２は、電源ＯＮ時のゲイン調整やスキャン毎のシェ−ディング、スキャン毎の光量チェックに使用される。長さスケール５１は、副走査方向の読取データ変化を測定できる。ＤＦの搬送ガイド機能と兼用である反射ガイド板２０は、ＡＤＦ原稿間に読み取れるので、上記基準白板までキャリッジを移動しないで、光量変化を測定できる。
【００３１】
図２、図３は、本発明に係る画像読取装置の全体ブロック図である。図２と図３を用いて制御ブロック構成を説明する。
【００３２】
ＳＢＵ１０上のＣＣＤ１００に入光した原稿の反射光は、ＣＣＤ内で光の強度に応じた電圧値を持つアナログ信号に変換され、奇数ビットと偶数ビットに分かれて出力される。
【００３３】
上記ＳＢＵ１０のアナログ画像信号は、ＶＩＯＢ３３上のアナログ処理回路１０１で暗電位部分が取り除かれ、奇数ビットと偶数ビットが合成され、所定の振幅にゲイン調整された後にＡ／Ｄコンバータ１０２に入力されデジタル信号化される。
【００３４】
デジタル化された画像信号は、シェーディング部１０３によりシェーディング補正され、ＶＩＯＢ３３からＳＣＵ上のＩＰＵ１０４で、ガンマ補正、ＭＴＦ補正等の画像処理が行なわれた後、同期信号画像クロックとともにビデオ信号として、画像データ記憶手段（ＳＤＲＡＭ１０６）を管理するメモリコントローラ１０５に入力され、ＳＤＲＡＭで構成される画像メモリに蓄えられる。
【００３５】
画像メモリに蓄えられた画像データは、外部Ｉ／Ｆドライバ１０７に送られ、パソコンやプリンタ等の出力装置へ転送される。なお、本明細書において、この「外部Ｉ／Ｆドライバ」は、ＳＣＳＩ，ＩＥＥＥ１３９４、ＬＡＮなどドライバやローカルＶｉｄｅｏ信号などの総称としている。
【００３６】
ＳＣＵ７上には、ＣＰＵ１０８、ＲＯＭ１０９、ＲＡＭ１１０、モータコントローラ１１２が実装されており、ＣＰＵ１０８は、スキャナ本体のステッピングモータである走行体モータ９（図１参照）、ＡＲＤＦの給紙モータ（図示せず）、搬送モータ（図示せず）のタイミング制御も行っている。
【００３７】
図２のＡＤＵ４２は、ＡＲＤＦ部に用いる電装部品の電力供給を中継する機能を有している。ＳＣＵ７上のＣＰＵに接続されている入力ポートは、ＶＩＯＢ３３を介して本体操作パネル：ＳＯＰ４３に接続されている。本体操作パネル：ＳＯＰ４３上にはスタートスイッチ（図示せず）と停止スイッチ（図示せず）が実装されている。それぞれのスイッチが押下されると入力ポートを介してＣＰＵ１０８はスイッチがＯＮされたことを検出する。
【００３８】
インバータの機能ブロック図を図４に示す。同期点灯の場合には、図４に示すように、各ラインの読取開始タイミングを規定する１４２．ライン同期信号（ＴＧ−ＩＮＶ）、１４５．クロック信号（ＣＬＫ）、１４３．コントロール信号（ＣＮＴ）及び１４４．ゲート信号（ＧＡＴＥ）を入力すると、１３５．点灯制御部は動作し、１３１．インバータ回路を制御する。１３１．インバータ回路からの出力は、１３２．昇圧トランスを経由して１３３．ランプに印加される。なお、１４３．ＣＮＴは、１３３．ランプのＯＮ／ＯＦＦ制御信号、１４４．ＧＡＴＥ信号は、１３３．ランプのランプ休止期間の制御信号である。
【００３９】
インバータ回路構成の一例を図５に示す。図５に示すように、１４３．ランプＯＮ／ＯＦＦ制御信号（ＣＮＴ）がＨｉｇｈレベルの時、ＴＲ１がオンし、インバータ制御用ＩＣのＩＣ１に電力が供給される。ＩＣ１はスイッチング素子ＦＥＴ１を駆動するためのドライバを内蔵しており、１４５．クロック信号に応じて所定の周期で発振し、発振パルスにより内臓ドライバを駆動し、ドライバの出力によりスイッチング素子ＦＥＴ１が駆動される。
【００４０】
駆動信号によりスイッチング素子ＦＥＴ１がＯＮになると、１３０．定電圧電源→１３２．昇圧トランスの一次側巻線→スイッチング素子ＦＥＴ１の経路で電流が流れ、１３２．昇圧トランスにエネルギーが蓄えられる。
【００４１】
次に、スイッチング素子ＦＥＴ１がＯＦＦになると、１３２．昇圧トランスに流れていた電流が遮断されると蓄えられていたエネルギーが放出され、１３２．昇圧トランスの一次側、二次側に急峻な立ち上がりを持つ電圧波形が発生する。この電圧波形は時間とともに減衰し、次にスイッチング素子ＦＥＴ１がオンになった後、オフになると前記と同様に再び急峻な立ち上がりを持つ電圧波形が発生する。すなわち、スイッチング素子ＦＥＴ１をオン／オフする毎に再び急峻な立ち上がりを持つ電圧波形が発生し、１３３．ランプに繰り返し電流が流れ、ランプが点灯し光が放出される。また、インバータ制御ＩＣ１は、１４４．ＧＡＴＥ信号が入力される期間は出力を停止する。
【００４２】
制御信号のタイミングチャートを図６及び図７に示す。
図６はランプＯＮ／ＯＦＦ信号（ＣＮＴ）とライン同期信号（ＴＧ−ＩＮＶ）のタイミングを示したもので、ＣＮＴとは別に点灯周波数の位相同期をとる目的でＴＧ−ＩＮＶを供給する。なお、ＣＮＴ信号とＴＧ−ＩＮＶ信号は非同期で供給し、ＣＮＴ信号のＯＮ，ＯＦＦは任意の時間とする。
【００４３】
図７はＴＧ−ＩＮＶ、ＧＡＴＥ及びＣＬＫとインバータ出力（光波形）のタイミングを示したものである。図７に示すＴ１及びＴ２が休止期間で、必要原稿面照度に応じてこの休止期間を設けることにより、１ライン当りの点灯パルス数を任意の値に設定することができる。
【００４４】
図７において、ＧＡＴＥ信号を制御しランプ休止期間の終了タイミング、ＣＬＫ信号を制御しランプ点灯パルス発生タイミングを切り替えることにより主走査方向のランプ点灯パルス発生タイミングを任意に制御する。
【００４５】
図１０のブロック図及び図１１のフローチャートについて説明する。本体制御部（図示せず）からのランプ点灯信号により、ランプをインバータ周波数ｆで、休止期間ｔ1で点灯して（ステップＳ１）、ＣＣＤ出力をＡ／Ｄ変換したデジタルデータは、画像データ比較回路部に入力され（ステップＳ２）、入力された画像データは、予め設定してあるＣＣＤ出力目標値と比較される（ステップＳ３）。目標値と画像データが等しくない場合は（ステップＳ３／ＮＯ）、再度ＣＣＤの出力データを読み取る（ステップＳ２）。目標値と画像データが等しくなった場合は（ステップＳ３／ＹＥＳ）、インバータに入力されている休止期間をｔ１→ｔ０へ変更してから（ステップＳ４）、コピー動作に入り（ステップＳ５）、コピー動作終了後ランプが消灯される（ステップＳ６）。
【００４６】
従来のランプでは、ランプ立ち上がり時には、図１２に示すようにランプ光量の立ち上がりが遅く、ＣＣＤ出力が一定になるまでに時間が掛かっていたが、図１１のフローのように、ランプの点灯中の休止期間を点灯時の休止期間ｔ１と、目標値と一致した後の休止期間ｔ０に切り換えることで、図１３に示すように、立ち上がり時のオーバーシュートを無くし、従来よりも早くＣＣＤ出力を安定させることができる。
【００４７】
図８のブロック図及び図９のフローチャートについて説明する。本体制御部（図示せず）からのランプ点灯信号により、ランプを点灯して（ステップＳ１１）、ＣＣＤ出力のＡ／Ｄ変換されたデジタルデータは、画像データ比較回路部に入力され（ステップＳ１２）、入力された画像データは、予め設定してあるＣＣＤ出力目標値と比較される（ステップＳ１３）。目標値と画像データが等しくない場合は（ステップＳ１３／ＮＯ）、目標値との差分を演算して、次段の休止期間演算回路部に送られる（ステップＳ１４）。図８の休止期間演算部では、予めＲＯＭ１０９（図３の制御ブロック図参照）に格納されたプログラムに基づき、次の休止期間が決定される。
【００４８】
ここで、図８に示す画像データ比較部と休止期間演算部について、さらに詳しく説明する。
点灯中の休止期間と光源発光量は温度因子を除けば、休止期間減→光源発光量増、休止期間増→光源発光量減の関係が有る。
【００４９】
休止期間の変更を行う場合、予めＲＯＭ１０９（図３の制御ブロック図参照）に格納されたプログラムを用意しておく。
【００５０】
濃度基準板を読みＡ／Ｄ変換された後の値の狙い値をα、実測値をβとする。α−βを演算し、狙い値に対する差分Δβを求める。
Δβ＝α−β
【００５１】
このΔβのテーブルを図１５（上の表の図番号を記載）に示す。
このテーブルには各Δβ（各数値は＊＊以上）に対する、選択する休止期間変更量Δｔ（μs）が決められている。例えば、Δβ＝−２６であると、テーブル内No.2の−３０に対応する値、Δｔ＝３．０μsを選択し、現在の休止期間がｔ＝４．０μsであると、ｔ＋Δｔ＝７．０μsとなり、休止期間を増加し、減光することが可能である。
【００５２】
一方、Δβ＝１５であると、テーブル内No.6の１０に対応する値、Δｔ＝−１．０μsを選択する。現在の休止期間がｔ＝４．０μsであると、ｔ＋Δｔ＝３．０μsとなり、休止期間を減少し、増光することが可能である。
【００５３】
図９において、休止期間演算部で決定された結果に基づき、インバータに入力しているＣＬＫの休止期間を変更し、インバータに送られ、ランプ光量を変更し、再びＣＣＤからの画像データを確認し、目標値と等しくなるまで、上記動作が繰り返される（ステップＳ１４→ステップＳ１２→ステップＳ１３／ＮＯ）。そして、目標値と画像データが等しくなった場合は（ステップＳ１３／ＹＥＳ）、コピー動作に入り（ステップＳ１５）、コピー動作終了後ランプが消灯される（ステップＳ１６）。上記動作は、ランプを点灯時に、行うものとする。
【００５４】
従来のランプでは、ランプ立ち上がり時には、図１２に示すようにランプ光量の立ち上がりが遅く、ＣＣＤ出力が一定になるまでに時間が掛かっていたが、図９のフローのように、ランプの点灯ＣＬＫの休止期間を制御することで、図１４に示すように、立ち上がり時のオーバーシュートを無くし、従来よりも早くＣＣＤ出力を安定させることができる。
【００５５】
以上説明したように、本発明の実施例によれば、以下の作用効果を奏する。
【００５６】
第１の作用効果として、露光ランプ点灯時のインバータに入力している点灯パルス休止期間を制御回路部から変更し、露光ランプの光量を変更することで、原稿読み取り時の光量変動による影響を押さえる事ができ、安定した画像データが提供できる。
【００５７】
第２の作用効果として、ＣＣＤの読取データを、白板のデータを使用することで、原稿読み取り時の光量変動による影響を押さえることができ、安定した画像データが提供できる。
【００５８】
第３の作用効果として、ＣＣＤの読取データを読み取る部分として、ＡＤＦの背景板を使用することで、原稿読み取り時の光量変動による影響を押さえることができ、安定した画像データが提供できる。
【００５９】
第４の作用効果として、原稿読取時の前記ＣＣＤの読取データは、主走査方向の画像読取有効読取範囲以外に基準となる基準板を配置してある基準板のデータを基に、前記パルス周波数を制御することで、原稿読み取り時の光量変動による影響を押さえることができ、安定した画像データが提供できる。
【００６０】
第５の作用効果として、前記露光ランプ点灯時は、ＡＤＦの背景板を使用し、露光ランプ点灯後の原稿読取時は、主走査方向の画像読取有効読取範囲以外に配置した基準板を使用して、ＣＣＤデータを読み取り、前記パルス周波数を制御することで、ランプ立ち上がりから原稿読み取りまで一貫して、光量の安定化ができ、光量変動のない安定した画像データが提供できる。
【００６１】
第６の作用効果として、原稿読取動作は、ＣＣＤ出力が安定してから読取を開始することで、光量変動のない安定した画像データが提供できる。
【００６２】
第７の作用効果として、上記画像読取装置を備えた画像形成装置を実現できる。
【００６３】
以上、本発明の実施例について説明したが、上記実施例の記載に限定されるものではなく、その要旨を逸脱しない範囲において種々の変形が可能である。
【産業上の利用可能性】
【００６４】
本発明は、ＰＰＣ、ファクシミリの光学制御に適用できる。
【図面の簡単な説明】
【００６５】
【図１】本発明の画像読取装置の構成を模式的に示す側断面図である。
【図２】本発明の画像読取装置の制御系の全体構成を示すブロック図である。
【図３】本発明の画像読取装置の制御系であるＶＩＯＢ及びＳＣＵの構成を示すブロック図である。
【図４】本発明の画像読取装置のインバータの機能ブロック図である。
【図５】本発明の画像読取装置のインバータ回路構成の一例を示すブロック図である。
【図６】本発明の画像読取装置における、ランプＯＮ／ＯＦＦ信号（ＣＮＴ）とライン同期信号（ＴＧ−ＩＮＶ）のタイミングを示すタイミングチャートである。
【図７】本発明の画像読取装置における、ＴＧ−ＩＮＶ、ＧＡＴＥ及びＣＬＫとインバータ出力（光波形）のタイミングを示すタイミングチャートである。
【図８】本発明の画像読取装置の主要部の構成の一例を示すブロック図である。
【図９】本発明の画像読取装置の動作の一例を示すフローチャートである。
【図１０】本発明の画像読取装置の主要部の構成の一例を示すブロック図である。
【図１１】本発明の画像読取装置の動作の一例を示すフローチャートである。
【図１２】従来の画像読取装置における、ＣＣＤ出力と時間との関係の一例を示すグラフである。
【図１３】本発明の画像読取装置における、ＣＣＤ出力と時間との関係の一例を示すグラフである。
【図１４】本発明の画像読取装置における、ＣＣＤ出力と時間との関係の一例を示すグラフである。
【図１５】本発明の画像読取装置における、狙い値に対する差分と、選択する休止期間変更量との対応テーブルを示す表である。
【図１６】本発明の画像読取装置のＤＦ用原稿ガラス部分の外観を示す斜視図である。
【符号の説明】
【００６６】
１    レンズ
２    照明ランプ（キセノンランプ）
３    第１ミラー
４    第３ミラー
５    第２ミラー
６    ＤＦ用原稿ガラス
７    ＳＣＵ
８    原稿台ガラス（コンタクトガラス）
９    走行体モータ（スキャナモータ）
１０    ＳＢＵ
１１    原稿台
１２    原稿ガイド
１３    セットセンサ
１４    呼び出しコロ
１５    搬送コロ
１６    給紙ベルト
１７    分離コロ
１８    第１搬送ローラ
１９    レジストセンサ
２０    反射ガイド板
２１    第２搬送ローラ
２３    排紙ローラ
２４    分岐爪
２５    反転ローラ
２６    反転テーブル
２７    原稿後端センサ
２８    幅サイズ検知基板
２９    第１の原稿長さセンサ
３０    第２の原稿長さセンサ
３１    第１のキャリッジ
３２    第２のキャリッジ
３３    ＶＩＯＢ
４３    操作パネル：ＳＯＰ
５０    基準板
５１    長さスケール
５２    基準白板
５３    ＡＤＦ
５４    原稿
１００    ＣＣＤ
１０１    アナログ処理回路
１０２    Ａ／Ｄコンバータ
１０３    シェーディング部
１０４    ＩＰＵ
１０５    メモリコントローラ
１０６    ＳＤＲＡＭ（画像データ記憶手段）
１０７    外部Ｉ／Ｆドライバ
１０８    ＣＰＵ
１０９    ＲＯＭ
１１０    ＲＡＭ
１１２    モータコントローラ
【図１】
2008113357.tif 000003
【図２】
2008113357.tif 000004
【図３】
2008113357.tif 000005
【図４】
2008113357.tif 000006
【図５】
2008113357.tif 000007
【図６】
2008113357.tif 000008
【図７】
2008113357.tif 000009
【図８】
2008113357.tif 000010
【図９】
2008113357.tif 000011
【図１０】
2008113357.tif 000012
【図１１】
2008113357.tif 000013
【図１２】
2008113357.tif 000014
【図１３】
2008113357.tif 000015
【図１４】
2008113357.tif 000016
【図１５】
2008113357.tif 000017
【図１６】
2008113357.tif 000018